(57)【要約】      （修正有）【課題】  ストッパーの不使用時の状態を確実に保持することができる斬新な構造の、サッシの指挟み防止具を提供する。【解決手段】  内障子ｄの召合せ框１に止着する基盤に、外障子ｄ´の戸先框２の走行路上に倒伏して先端が突出するストッパー４を基部において支軸１２で回動自在に組付けたものであって、具体的には、前記ストッパー４に長孔１１を設け、該長孔１１に前記基盤に設けた支軸１２を相対的に縦動可能に嵌挿して前記基盤に前記ストッパー４を回動自在に枢着する。また、ストッパー４に掛止突子１８を設け、該掛止突子１８を掛止する受止縁２０を、基盤に設けた支軸１２の直上に形成する。  【選択図】  図２
2006002346.tif 000002
【特許請求の範囲】
【請求項１】
片引きサッシにあっては戸先框と召合せ方立、また、引き違いサッシにあっては外障子の戸先框と内障子の召合せ框のいずれか一方に止着する基盤に、他方と見付け方向に重なり合う位置に先端が突出するストッパーの基部を支軸で回動自在に組付けたサッシの指先挟み防止具において、前記基盤と前記ストッパーの相対向面側のいずれか一方に長孔を設け、該長孔に他方に設けた支軸を相対的に縦動可能に嵌挿して前記基盤に前記ストッパーを回動自在に枢着し、また、ストッパーの前記先端側の前記相対向面に掛止突子を設け、該掛止突子を掛止する受止縁を、基盤の前記相対向面に設けた前記長孔又は支軸の直上に形成した、サッシの指先挟み防止具。
【発明の詳細な説明】
【技術分野】
【０００１】
本発明は、引き違いサッシにおける外障子の戸先框又は内障子の召合せ框に止着する基盤に、ストッパーを基部において回動自在に枢着し、前記内外障子の引違い操作の際、前記ストッパーを倒伏させてその先端を前記外障子又は内障子の走行路上に配して両障子（戸先框と召合せ框）によって指先を挟まれることを防ぐために用いるサッシの指先挟み防止具に関するものである。もっとも、片引きサッシにも適用できるものであるから、本発明は、正確には、片引きサッシにあっては戸先框と召合せ方立、また、引き違いサッシにあっては外障子の戸先框と内障子の召合せ框のいずれか一方に止着する基盤に、他方と見付け方向に重なり合う位置に先端が突出するストッパーの基部を支軸で回動自在に組付けたサッシの指先挟み防止具に関するものである。
【背景技術】
【０００２】
サッシの指先挟み防止具は、前記の通り、ストッパーの先端を内障子又は外障子の走行路（レール）上に位置させて障子の引違いを規制して不注意による指先が挟まれるのを防ぐのであるが、引違い動作を必要とするときには、ストッパー先端を走行路上より後退させる必要があり、該後退状態の指先による保持は煩雑であるため、従来の防止具はばね手段を用いて当該状態を保持するようにしている（例えば、特許文献１）。
【０００３】
【特許文献１】特開昭５９−１３０９８４号公報
【発明の開示】
【発明が解決しようとする課題】
【０００４】
従来のばね手段は、板ばね或いはコイルばねの付勢を利用することは勿論であるが、ストッパーを動作させるには板ばね等の付勢に抗した動作を必要とし、圧接状態にある部材同士の一方を強制的に動作させるため自ら騒音が発生しがちで、動きも必ずしも円滑にいかない。
【０００５】
本発明は、ストッパーの不使用時の状態を確実に保持することができることは勿論、ストッパーの動作時の騒音の発生も防げ、しかも、斬新な構造の、サッシの指先挟み防止具を提供すべく創案したものである。
【課題を解決するための手段】
【０００６】
片引きサッシにあっては戸先框と召合せ方立、また、引き違いサッシにあっては外障子の戸先框と内障子の召合せ框のいずれか一方に止着する基盤に、他方と見付け方向に重なり合う位置に先端が突出するストッパーの基部を支軸で回動自在に組付けたサッシの指先挟み防止具において、前記基盤と前記ストッパーの相対向面側のいずれか一方に長孔を設け、該長孔に他方に設けた支軸を相対的に縦動可能に嵌挿して前記基盤に前記ストッパーを回動自在に枢着し、また、ストッパーの前記先端側の前記相対向面に掛止突子を設け、該掛止突子を掛止する受止縁を、基盤の前記相対向面に設けた前記長孔又は支軸の直上に形成した構成とするのである。
【発明の効果】
【０００７】
本発明によれば、基盤に対する支軸を中心とする起伏動作を円滑に行えることは勿論、ストッパーの起立時には掛止突子を受止縁に受止させることにより当該起立状態を確実に保持することができ、倒伏操作時に騒音が発生することのない使用勝手の良好な指先挟み防止具を提供することができる。
【実施例】
【０００８】
図面は本発明に係る、サッシの指先挟み防止具の実施例を示し、図１は使用状態を示す正面図、図２は図１の横断面図、図３は図１の縦断面図、図４は基盤とストッパーの起伏関係を示す動作説明図、図５はストッパーの分解斜視図、図６は防止具の配置図、図７はストッパーの第二実施例を示す斜視図である。
【０００９】
図中、Ａは本発明に係る、サッシの指先挟み防止具を示し、防止具Ａは内外の障子ｄ，ｄ´を備えた引違いサッシの前記内障子ｄの召合せ框１に上下一対にして装置し、該召合せ框１と前記外障子ｄ´の戸先框２との引違いを必要に応じて規制するようにして両框１，２によって指先が挟まれるのを未然に防止するものである。もっとも、框材の形状乃至構造にもよるが、前記の戸先框２（外障子ｄ´）側に装置して召合せ框１（内障子ｄ）の動きを規制するようにして用いても必ずしも不都合はない。
【００１０】
前記の防止具Ａは本体３とストッパー４を互いに組付けて構成したものであって、本体３は、上下両側に部分的に薄肉状にして形成した凹入部５に止着用のねじ６貫通用の透孔７を設けた基盤８の上下方向の中間部に、水平方向の受支部片９ａと該受支部片９ａの先端に折り曲げ状にして連設した前部片９ｂとで成るＬ字形の支持片９を突設して構成し、この本体３の支持片９の前部片９ｂと前記基盤８とで構成する間隙１０内に、前記ストッパー４の下部を介在させ、該下部に形成した縦長の（ストッパー４の長手方向に長い）長孔１１に前記前部片９ｂと前記基盤８間に架設した支軸１２を嵌挿して基盤３に対してストッパー４を回動（起伏）自在に組付けてある。
【００１１】
また、前記間隙１０を構成する基盤８側の壁面には、該壁面を部分的に間隙１０方向に突出させて基盤８両側間に渡る円弧状の段部１９を設け、該段部１９の中央（上端）を方形状に下方に凹入させて前記支軸１２の直上に位置する受止縁２０を設けてある。
【００１２】
前記ストッパー４は、上下（長手）方向の両端を円弧状にした長円輪郭形体で成り、その下部側の一側に前記長手（上下）方向に沿わせて前記長孔１１を設け、該長孔１１部において前記支軸１２によって前記基盤３に前記の通り回動自在に組付け、倒伏状態にしたとき、長孔１１側の一側に対向する他の一側側が、基盤３の支持片９の前部片９ｂの側端より充分に突出する、上下（長手）方向両端間の長さを具備したものである。
【００１３】
そして、このストッパー４の前記間隙１０より常時突出する（すなわち、支持片９の前部片９ｂと常時重なり合わない）前記他の一側（長孔１１側の一側に対応する）の外面側には突き当て材１３を突出量調節自在にして組付けてある。
【００１４】
突き当て材１３は、ボルト体１３ａと該ボルト体１３ａの頭部に緩衝用の弾性片１３ｂを組付けて成り、ストッパー４の前記外面側に設けた受入穴１４に弾性片１３ｂを組付けたボルト体１３ａ頭部側を係合し、受入穴１４の底部に設けた螺子孔１５にボルト体１３ａの脚部１３ａ´´を螺合するようにしてストッパー４に前記の通り組付け、脚部１３ａ´´の螺子孔１５´に対する螺合量を調節することによりストッパー４の外面からの突出量を調節して、ストッパー４（突き当て部材１３）が前記戸先框２に接触することによって生じる前記召合せ框１と戸先框２間の隙間の幅調節と、図６で示すように召合せ框１の上下２箇所に用いる場合に、該上下に配した防止具Ａ，Ａのストッパー４（突き当て部材１３）の一方に偏することなく、均一に戸先框２に接するようにしてある。
【００１５】
また、ストッパー４の内面すなわち本体３の基盤８との相対向面に、前記螺子孔１５に連通させた取付穴１６を設け、該取付穴１６に套装カバー１７を嵌合して取付けて、突き当て材１３の、取付穴１６内に突出した突き当て材１３の前記ボルト脚部１３ａ´´を套装し、該カバー１７の周端に設けた掛止突子１８を前記長孔１１乃至支軸１２の直上に配置されるように位置させてある。
【００１６】
套装カバー１７は、円筒状の主体筒１７Ａの周端に厚肉部を方形状に突出させて前記掛止突子１８としたもので、該カバー１７が成す、ほぼ鍵孔輪郭形状と一致するようにして、しかも、方形部１６ａを前記長孔１１側（ストッパー４の下端側）に配して、ストッパー４の、基盤３との対向面側に前記の通り設けた取付穴１６に、ゴム素材とする弾性変形を利用して嵌着し、掛止突子１８を本体３（基盤８）方向に突出させ、基盤３（止着盤８）側に設けた前記段部１９の外側に位置するようにストッパー４に組付けてある。
【００１７】
しかして、内障子ｄの召合せ框１の戸当り面に本体３の基盤８を重ね合わせ、凹入部５に形成した透孔７を通じて、ねじ６を、框部片（戸当り面を構成する）および補強片２２（框部片にねじ止めした）に設けた螺子孔に螺合締付けることによって防止具Ａは前記召合せ框１に固定され、本体３とで該防止具Ａを構成するストッパー４を支軸１２を貫通させた長孔１１部を中心に回動させ、倒伏させると、ストッパー４の先端は、外障子ｄ´の走行路上すなわち外障子ｄ´の戸先框２の走行路上に突出する位置に配せられ、この状態で外障子ｄ´を開放方向である内障子ｄと引違う方向に移動させると、外障子ｄ´の戸先框２の走行路上にストッパー４が位置しているので、戸先框２はストッパー４に接してその移動（走行）を規制され、戸先框２と召合せ框１で指先が挟まれるのを確実に防止することができるのである。
【００１８】
そして、内該障子ｄ，ｄ´の引き違い状態を得るには、ストッパー４を前記長孔１１部を中心に回動させると、ストッパー４の先端側の、本体３の基盤８と相対する面側に設けた掛止突子１８は、基盤８の、前記円弧状の段部１９に沿って回動上昇し、支軸１２の直状すなわち段部１９の最上位の位置に至ったとき、指先を離すと、当該位置には、前記の通り、段部を下方に凹入させた形態にして受止縁２０を設けてあるので、掛止突子１８は降下して（嵌合して）当該受止縁２０に掛止され、ストッパー４の長孔１１部を中心とする回動は規制され、ストッパー４の前記走行路上からの後退状態が維持され、内外障子ｄ，ｄ´は自由に引違われる。
【００１９】
図中、２３は、本体３の支持片９の受支部片９ａの上面中央に設けた凹入縁で、凹入縁２３は、前記受止縁２０乃至支軸１２の直下に位置し、ストッパー４が掛止突子１８を介して受止縁２０に掛止したとき、その円弧状の端縁（下端縁）が係合するようになっている。
【００２０】
また、図中２４は、凹入部５に嵌合したねじ６（の頭部）を隠すためのカバーである。
【００２１】
なお、図７で示すものは、第一実施例の掛止突子１８が套装カバー１７の一部で構成するものであるに対し、ストッパー４に直接突設して掛止突子１８を構成させて第二実施例を示す。
【００２２】
ストッパー４は素材である金属の重量によって掛止突子１８の受止縁２０に対する嵌合動作が円滑に行われるのであるが、その際第二実施例においては金属同士（第二実施例の掛止突子１８と本体基盤８）とが互いに接触してメッキが剥離し勝ちとなるが、第一実施例のように弾性体（ゴム）で構成した套装カバー１７の一部で掛止突子１８を構成することによってこれを防ぐことができる。
【００２３】
また、実施例にあっては、ストッパー４側に長孔１１を設け、本体３（基盤８）側に支軸１２を配してあるが、これとは逆にストッパー４側に支軸１２を固定的に配し（ストッパー４の表面に支軸１２を突設し）、該支軸１２を本体３（基盤８と支持片９の前部片９ｂの相対向面）に長孔（穴）を設けるようにしても良い。
【００２４】
さらに、大きさ或いは具体的な構造にもよるが、戸先框２側に基盤８を介して固定してストッパー４が召合せ框１（内障子ｄ）の走行路上突出する（召合せ框１乃至内障子ｄと見付け方向に重なり合う）位置に配するようにしても良く、片引きサッシに適用するにも必ずしも不都合はない。
【００２５】
片引きサッシの場合は、障子の戸先框と窓枠の召合せ方立のいずれか一方に基盤８において本防止具Ａを装置し、ストッパー４を他方と見付け方向に重なり合う位置に出入りさせて用いるようにすれば良い。
【図面の簡単な説明】
【００２６】
【図１】使用状態を示す正面図。
【図２】図１の横断面図。
【図３】図１の縦断面図。
【図４】基盤とストッパーの起伏関係を示す動作説明図。
【図５】ストッパーの分解斜視図。
【図６】防止具の配置図。
【図７】ストッパーの第二実施例を示す斜視図。
【符号の説明】
【００２７】
１      召合せ框
２      戸先框
４      ストッパー
８      基盤
１１    長孔
１２    支軸
１８    掛止突子
２０    受止縁
【図１】
2006002346.tif 000003
【図２】
2006002346.tif 000004
【図３】
2006002346.tif 000005
【図４】
2006002346.tif 000006
【図５】
2006002346.tif 000007
【図６】
2006002346.tif 000008
【図７】
2006002346.tif 000009